(57)【要約】【課題】ユーザが所望する機能を有するユニットの組合せに応じて様々な用途への使用を可能にすること。【解決手段】電子機器１は、個々に固有の機能を有する複数のユニット１０、２０、３０、６０、７０、８０、９０、１００を電気的、及び機構的に接続してなる。そして、電子機器１は、複数のユニット１０、２０、３０、６０、７０、８０、９０、１００の接続する組合せに応じて当該電子機器１全体としての機能を異ならせることを可能とする。【選択図】図１
2013117691.tif 000002
【特許請求の範囲】
【請求項１】
個々に固有の機能を有する複数のユニットを電気的、及び機構的に接続してなる電子機器であって、
前記複数のユニットの接続する個数又は順番の異なる組合せに応じて当該電子機器全体としての機能を異ならせることを可能とすることを特徴とする電子機器。
【請求項２】
前記複数のユニットの接続する順番が変更可能であることを特徴とする請求項１に記載の電子機器。
【請求項３】
前記複数のユニットの接続する順番に応じて機能を異ならせることを可能とすることを特徴とする請求項２に記載の電子機器。
【請求項４】
前記複数のユニットのうち一のユニットは、当該電子機器全体を制御する制御機能を有し、
前記複数のユニットごとに識別情報を予め定めておき、前記制御機能を有するユニットで該識別情報を照合することで当該電子機器全体としての機能を特定することを特徴とする請求項１乃至３のうち何れか１項に記載の電子機器。
【請求項５】
前記複数のユニットは接続のための共通のコネクタを備え、
前記複数のユニットが接続されている状態では、前記コネクタを、前記識別情報を含む情報がスルーパスで伝送されることを特徴とする請求項４に記載の電子機器。
【請求項６】
前記複数のユニットのうち一のユニットは、前記識別情報を持たず放熱機能を有することを特徴とする請求項４または５に記載の電子機器。
【請求項７】
前記コネクタは延長ケーブルにより接続可能であることを特徴とする請求項５に記載の電子機器。
【請求項８】
前記複数のユニットを接続する順番を限定可能とする凹凸部を備えることを特徴とする請求項１乃至７のうち何れか１項に記載の電子機器。
【請求項９】
前記複数のユニットの断面形状が略同一であることを特徴とする請求項１乃至８のうち何れか１項に記載の電子機器。
【請求項１０】
前記複数のユニットは各々接続時に露出する面に該ユニットの有する機能を識別可能とする文字、数字或いは記号が記されていることを特徴とする請求項１乃至９のうち何れか１項に記載の電子機器。
【請求項１１】
前記複数のユニットのうち一のユニットは、外部機器との通信を行う通信機能を有し、
表示或いは操作機能を、前記通信機能を有するユニットによる通信を介して前記外部機器により行うことを特徴とする請求項１乃至１０のうち何れか１項に記載の電子機器。
【請求項１２】
前記複数のユニットの状態を前記外部機器で表示する制御を実行することを特徴とする請求項１１に記載の電子機器。
【請求項１３】
前記複数のユニットのうち前記電子機器に接続されているユニットを判定し、前記ユニットの接続の状態を前記判定結果に基づいて前記外部機器で表示する制御を実行することを特徴とする請求項１１に記載の電子機器。
【請求項１４】
前記外部機器を操作することにより、前記電子機器に接続されたユニットに対する制御を実行することを特徴とする請求項１１に記載の電子機器。
【請求項１５】
前記複数のユニットのうち一のユニットは、更に撮像機能を有し、
前記撮像機能を有するユニットによる撮像情報を、前記通信機能を有するユニットによる通信を介して前記撮像情報を前記外部機器により処理することを特徴とする請求項１１に記載の電子機器。
【発明の詳細な説明】
【技術分野】
【０００１】
本発明は、組合せに応じて様々な用途に使用することを可能にする、電子機器に関する。
【背景技術】
【０００２】
昨今、デジタルカメラ等の電子機器の機能が向上したことに応じて、より幅広い用途への利用が可能な機能の付加が求められている。
【０００３】
そこで、幅広い用途への機能の付加を実現するために、カメラユニットと、電池ユニットとが連結されてなるデジタルカメラにおいて、カメラユニットに換えて水中カメラ撮影用ユニットに交換可能な技術が提案されている（例えば、特許文献１参照）。
【先行技術文献】
【特許文献】
【０００４】
【特許文献１】特開２００５−１６４８４５号公報
【発明の概要】
【発明が解決しようとする課題】
【０００５】
しかしながら、デジタルカメラに更に機能を付加したい場合であっても、接続できるユニットが１対１の関係でしか交換できないため、デジタルカメラの機能の拡張性に欠けるという課題があった。
【０００６】
本発明は、このような状況に鑑みてなされたものであり、ユーザが所望する機能を有するユニットの組合せに応じて様々な用途への使用を可能にすることを目的とする。
【課題を解決するための手段】
【０００７】
上記目的を達成するため、本発明の一態様の電子機器は、
個々に固有の機能を有する複数のユニットを電気的、及び機構的に接続してなる電子機器であって、
前記複数のユニットの接続する個数又は順番の異なる組合せに応じて当該電子機器全体としての機能を異ならせることを可能とすることを特徴とする。
【発明の効果】
【０００８】
本発明によれば、ユーザが所望する機能を有するユニットの組合せに応じて様々な用途への使用が可能となる。
【図面の簡単な説明】
【０００９】
【図１】本発明の一実施形態に係る電子機器の外観構成の左方を示す斜視図である。
【図２】本発明の一実施形態に係る電子機器の外観構成の右方を示す斜視図である。
【図３】本実施形態に係る電子機器を構成するレンズユニットと、制御ユニットとを、延長ユニットで電気的、及び機構的に接続した状態を示す斜視図である。
【図４】本実施形態に係る電子機器を構成するレンズユニットと、制御ユニットと、放熱ユニットと、電源ユニットと、ターンテーブル制御ユニットと、表示制御ユニットと、マイクユニットと、プロジェクターユニットと、通信ユニット、表示ユニットとを電気的、及び機械的に接続した状態を示す斜視図である。
【図５】本実施形態に係る電子機器を構成するレンズユニットと、制御ユニットと、電源ユニットとを電気的、及び機械的に接続した状態を示す斜視図である。
【図６】本実施形態に係る電子機器を構成するキャップユニットと、制御ユニットと、電源ユニットと、マイクユニットとを電気的、及び機械的に接続した状態を示す斜視図である。
【図７】本実施形態の電子機器を構成する各ユニットのハードウェア構成を示すブロック図である。
【図８】本実施形態の電子機器を構成する各ユニットのうち、表示制御ユニットの回路構成を示すブロック図である。
【図９】制御ユニットのＲＯＭに記憶されたコードテーブルの一例を示す図である。
【図１０】各ユニットの雄コネクタ及び雌コネクタを構成する信号線の状態を示す図である。
【図１１】接続ユニット検索処理の流れの一例を示すフローチャートである。
【図１２】接続ユニット操作処理の流れを説明するフローチャートである。
【図１３】スマートフォンのタッチパネルに表示された操作メニューを示す表示例である。
【図１４】接続ユニット確認処理の流れを説明するフローチャートである。
【発明を実施するための形態】
【００１０】
以下、本発明の一実施形態を図面に基づいて説明する。
本実施形態に係る電子機器１は、例えば電気的、及び機構的に接続された複数のユニットからなるデジタルカメラとして構成される。そして、当該電子機器は、複数のユニットを接続する組合せに応じて、当該電子機器全体として異なる機能を実行する。各ユニットを接続する組合せについては、図１〜図６を参照して後述する。
【００１１】
［電子機器の構成］
図１は、本発明の一実施形態に係る電子機器１の外観構成の左方を示す斜視図である。
図２は、本発明の一実施形態に係る電子機器１の外観構成の右方を示す斜視図である。
図１において、電子機器１は、レンズユニット１０と、制御ユニット２０と、電源ユニット３０と、を備えており、これらの各ユニット１０、２０、３０が互いに電気的、及び機構的に接続されている。各ユニット１０、２０、３０の電気的な接続については、図７を参照して後述する。
各ユニット１０、２０、３０は、それぞれ横断面が矩形状に形成され、各ユニット１０、２０、３０の断面形状はそれぞれ略同一に形成されている。また、各ユニット１０、２０、３０は、それぞれ接続のためのコネクタを備えている。
【００１２】
レンズユニット１０は、レンズ１１と、雌コネクタ１２とを備えている。レンズ１１は、レンズユニット１０の正面に形成され、雌コネクタ１２は、レンズ１１が形成されている面の逆側に形成されている。レンズユニット１０の構成については、図７を参照して後述する。
【００１３】
制御ユニット２０は、雄コネクタ２１と、雌コネクタ２２と、電源ボタン２３とを備えている。制御ユニット２０は、電子機器１全体を制御する機能を有し、制御ユニット２０から出力する信号に基づいて、各ユニット１０、３０の機能を制御する。制御ユニット２０の電気的構成については、図７を参照して説明する。制御ユニット２０は、後述の識別情報（ユニットコード）を含む情報を後述する他のユニット１０、３０、４０、５０、６０、７０、８０、９０、１００に伝達する。
【００１４】
電源ユニット３０は、雄コネクタ３１と、雌コネクタ３２とを備えている。電源ユニット３０は、レンズユニット１０及び制御ユニット２０を含む後述の各ユニット６０、７０、８０、９０、１００に対し電源を供給する電池３３（図７参照）を内部に有する。電源ユニット３０の電気的構成については、図７を参照して後述する。
【００１５】
各ユニット２０、３０の雄コネクタ２１、３１は、複数のピンにより形成された同一規格の形状に形成されている。また、各ユニット１０、２０、３０の雌コネクタ１２、２２，３２は、雄コネクタ２１、３１と同一規格の同一機構の複数のピンにより形成され、同一規格の形状に形成されている。したがって、各ユニット２０、３０の各雄コネクタ２１、３１を各ユニット１０、２０、３０の雌コネクタ１２、２２、３２にそれぞれ接続することができる。
【００１６】
図３は、本実施形態に係る電子機器１を構成するレンズユニット１０と、制御ユニット２０とを、延長ユニット４０で電気的、及び機構的に接続した状態を示す斜視図である。
延長ユニット４０は、延長ケーブル４１と、雄アダプタ４２と、雌アダプタ４３とを有する。
雄アダプタ４２は、各ユニット１０、２０、３０の雌コネクタ１２、２２、３２と電気的、及び機構的に接続可能な雄コネクタ（図示せず）を備え、各ユニット１０、２０、３０と電気的に接続可能に形成されている。雄アダプタ４２に形成されている雄コネクタの形状は、各ユニット２０、３０の雄コネクタ２１、３１と同一形状、同一規格により形成されている。
雌アダプタ４３は、各ユニット２０、３０の雄コネクタ２１、３１と電気的、及び機構的に接続可能な雌コネクタ（図示せず）を備え、各ユニット２０、３０と電気的に接続可能に形成されている。雌アダプタ４３に形成されている雌コネクタの形状は、各ユニット１０、２０、３０の雌コネクタ１２、２２、３２と同一形状、同一規格により形成されている。
延長ケーブル４１は、雄アダプタ４２及び雌アダプタ４３と電気的、及び機構的に接続されている。したがって、雄アダプタ４２と雌アダプタ４３とを介して、レンズユニット１０と、制御ユニット２０とを接続することができる。
なお、図３の例では、レンズユニット１０と制御ユニット２０とを延長ユニット４０により接続しているが、これに限られるものではなく、制御ユニット２０と電源ユニット３０等、各ユニット同士を自由に接続することができる。
したがって、レンズユニット１０と制御ユニット２０及び電源ユニット３０との間を延長ユニット４０の延長ケーブル４１を介して接続することにより、レンズユニット１０のみをヘルメットの上などに設置すると共に、重量のある電源ユニット３０等を腰等に分離することができる。これにより、ユーザは可搬性のある電子機器１として使用することができる。
【００１７】
図４は、本実施形態に係る電子機器１を構成するレンズユニット１０と、制御ユニット２０と、放熱ユニット５０と、電源ユニット３０と、ターンテーブル制御ユニット６０と、表示制御ユニット７０と、マイクユニット８０と、プロジェクターユニット９０と、通信ユニット１００、表示ユニット１１０とを電気的、及び機械的に接続した状態を示す斜視図である。
電子機器１を構成する各ユニット１０、２０、５０、３０、６０、７０、８０、９０、１００は、その順番で接続され、表示ユニット１１０は、表示制御ユニット７０の側方に突出して接続されている。各ユニット１０、２０、５０、３０、６０、７０、８０、９０、１００により構成される電子機器１は、ターンテーブル制御ユニット６０の下方において突出して形成されたターンテーブル１２０を介して机上等に設置可能となっている。
また、複数のユニット１０、２０、５０、３０、６０、７０、８０、９０、１００は各々接続時に露出する面に該ユニットの有する機能を識別可能とする文字が記されている。例えば、レンズユニット１０の露出する面には、「レンズ」という文字が記されている。また、制御ユニット２０の露出する面には、「制御」という文字が記されている。レンズユニット１０、制御ユニット２０及び電源ユニット３０については、図１及び図２を参照して説明したので、その機能については説明を省略する。図４を参照して、放熱ユニット５０と、ターンテーブル制御ユニット６０と、表示制御ユニット７０と、マイクユニット８０と、プロジェクターユニット９０と、通信ユニット１００について説明する。
【００１８】
放熱ユニット５０は、熱が伝導しやすいアルミニウムや銅等の金属材料により形成された複数の放熱フィン５１により構成される。放熱ユニット５０は、隣接して接続されているユニットから発生する熱を放熱フィン５１を通じて放散し、隣接するユニットの温度を下げる放熱機能を有する。したがって、放熱ユニット５０を、熱を発生する制御ユニット２０と熱を嫌う電源ユニット３０との間に配置することで、制御ユニット２０の熱を速やかに発散させると共に、電源ユニット３０に対する熱の影響を回避することができる。例えば、レンズユニット１０においてフルＨＤ動画等を撮影することにより、大きな熱が制御ユニット２０から発生するような場合であっても、制御ユニット２０と電源ユニット３０との間に放熱ユニット５０を配置することにより、電源ユニット３０を熱から保護することが可能となる。放熱ユニット５０は、後述の識別情報（ユニットコード）を持たず、制御ユニット２０から送信される識別情報を含む情報を他のユニット１０、３０、６０、７０、８０、９０、１００に対しスルーパスで伝達する。
【００１９】
ターンテーブル制御ユニット６０は、ターンテーブル１２０と接続され、制御ユニット２０から送信された情報に基づいて、ターンテーブル１２０に対し制御信号を送信することで、ターンテーブル１２０により支持される電子機器１を構成する各ユニットを回転する制御を行う。
ターンテーブル１２０は、ターンテーブル制御ユニット６０から送信される制御信号に基づいて、図７を参照して説明するモーター回路１２２を駆動して、ターンテーブル１２０により支持される各ユニット１０、２０、３０、５０、６０、７０、８０、９０、１００、１１０により構成される電子機器１の回転動作を行う。
【００２０】
表示制御ユニット７０は、制御ユニット２０から送信された情報に応じて、図７を参照して後述するメモリまたはレンズユニット１０のユニット回路１４（図７参照）から画像のデータを含む所定の情報を読み出し、表示ユニット１１０に当該画像を表示する制御を行う。
表示ユニット１１０は、ディスプレイ等で構成され、各種画像を表示する。例えば、表示ユニット１１０は、後述の図７を参照して説明するＲＡＭ２６に画像のデータとして記憶されている複数の画像を表示する。
【００２１】
マイクユニット８０は、マイク及びＡ／Ｄ変換回路等を有しており、マイクを介して入力した音声のデータを制御ユニット２０のＣＰＵ２４（図７参照）或いは各ユニット７０、８０、９０、１００、１１０のメモリ７５（図７参照）に出力する。
【００２２】
プロジェクターユニット９０は、制御ユニット２０からレンズユニット１０で撮像した撮像画像のデータや、メモリ（図７参照）に記憶されている画像のデータを含む情報を受信して、当該情報に基づいて、スクリーン（図示せず）へ投影表示する制御を行う。
【００２３】
通信ユニット１００は、Ｂｌｕｅｔｏｏｔｈ（登録商標）規格による無線通信により他の装置（例えば、図示せぬ外部記憶装置、表示装置、電子機器１に対する操作を行うためのユーザの入力操作を受け付ける入力操作受付装置、または他の電子機器等）との間で行う通信を制御する。通信ユニット１００は、スマートフォン３００から送信される情報を受信して、制御ユニット２０に伝達する制御を実行する。また、通信ユニット１００は、制御ユニット２０から伝達された情報を受信して、スマートフォン３００に送信する制御を実行する。通信ユニット１００は、ＩｒＤＡ（Ｉｎｆｒａｒｅｄ  Ｄａｔａ  Ａｓｓｏｃｉａｔｉｏｎ）規格による赤外線通信、ＵＳＢ（Ｕｎｉｖｅｒｓａｌ  Ｓｅｒｉａｌ  Ｂｕｓ）規格、ＩＥＥＥ１３９４規格等の各種インターフェース規格により、インターネットを含むネットワークを介して外部の電子機器と画像のデータや情報の入出力を可能としているものでもよい。したがって、例えば、通信ユニット１００を介してスマートフォン３００等の外部機器と接続することにより、電子機器１にディスプレイ等の表示部を配置しなくても、スマートフォン３００の表示画面を見ながら操作することで、ユーザは自由に電子機器１を操作することができる。
【００２４】
図５は、本実施形態に係る電子機器１を構成するレンズユニット１０と、制御ユニット２０と、電源ユニット３０とを電気的、及び機械的に接続した状態を示す斜視図である。制御ユニット２０のＣＰＵ２４（図７参照）は、レンズユニット１０と、制御ユニット２０と、電源ユニット３０との組合せを照合した場合、現在の電子機器１のモードをカメラモードに設定する。各ユニットの照合方法については、図８を参照して後述する。
【００２５】
制御ユニット２０は、現在のモードをカメラモードに設定した場合、電子機器１全体としての機能をレンズユニット１０において撮像された撮像画像のデータをＲＡＭ２６（図７参照）に記憶するデジタルカメラの機能として制御する。
なお、制御ユニット２０は、現在のモードをカメラモードに設定した場合、レンズユニット１０において撮像された撮像画像のデータをＲＡＭ２６（図７参照）に記憶しているがこれに限られず、例えば、制御ユニット２０は、撮像された撮像画像のデータを他のユニット７０、８０、９０、１００のリムーバブルメディア７７に記憶することができる。
【００２６】
図６は、本実施形態に係る電子機器１を構成するキャップユニット１３０と、制御ユニット２０と、電源ユニット３０と、マイクユニット８０とを電気的、及び機械的に接続した状態を示す斜視図である。制御ユニット２０のＣＰＵ２４（図７参照）は、制御ユニット２０と、電源ユニット３０と、マイクユニット８０との組合せを照合した場合、現在の電子機器１のモードをボイスレコーダモードに設定する。
【００２７】
キャップユニット１３０は、雌コネクタ（図示せず）を有し、各ユニット２０、３０、５０、６０、７０、８０、９０、１００の雄コネクタ（例えば、図１の雄コネクタ２１、３１）と接続可能に形成されている。なお、キャップユニット１３０に形成されている雌コネクタは、各ユニット２０、３０、５０、６０、７０、８０、９０、１００の雄コネクタと電気的には接続されておらず、突出した雄コネクタを保護する目的で、電子機器１の末端に装着される。
【００２８】
制御ユニット２０は、現在のモードをボイスレコーダモードに設定した場合、電子機器１全体としての機能をマイクユニット８０において集音された音声のデータをＲＡＭ２６（図７参照）に記憶するボイスレコーダの機能として制御する。
なお、制御ユニット２０は、現在のモードをボイスレコーダモードに設定した場合、マイクユニット８０において集音された音声のデータをＲＡＭ２６（図７参照）に記憶しているがこれに限られず、例えば、制御ユニット２０は、集音された音声のデータを他のユニット７０、８０、９０、１００のリムーバブルメディア７７に記憶することができる。
また、マイクユニット８０を制御ユニット２０の右側に配置した場合には、制御ユニット２０は、右方から発生した音声のデータとして集音された音声のデータをＲＡＭ２６に記憶する。同様に、マイクユニット８０を制御ユニット２０の左側に配置した場合には、制御ユニット２０は、左方から発生した音声のデータとして集音された音声のデータをＲＡＭ２６に記憶する。このように、制御ユニット２０は、各ユニットを組合せる順番に応じて動作する機能が異なるよう電子機器１全体を制御する。
また、制御ユニット２０による制御は変えずに使い勝手や重量バランスといった機能が異なるように、各ユニットを組合せる順番を変更することも可能である。
【００２９】
図７を参照して、図１〜図６において接続される各ユニット１０、２０、３０、６０、７０、８０、９０、１００のハードウェア構成について説明する。
図７は、本実施形態の電子機器１を構成する各ユニット１０、２０、３０、６０、７０、８０、９０、１００のハードウェア構成を示すブロック図である。
電子機器１は、例えばデジタルカメラとして構成される。
【００３０】
電子機器１のレンズユニット１０は、レンズ１１と、雌コネクタ１２と、撮像素子１３と、ユニット回路１４とを備えている。
【００３１】
レンズ１１は、被写体を撮影するために、光を集光するレンズ、例えばフォーカスレンズやズームレンズ等で構成される。
フォーカスレンズは、撮像素子の受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００３２】
撮像素子１３は、光電変換素子や、ＡＦＥ（Ａｎａｌｏｇ  Ｆｒｏｎｔ  Ｅｎｄ）等から構成される。
光電変換素子は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、レンズユニット１０の出力信号として出力される。
このようなレンズユニット１０の出力信号を、以下、「撮像画像のデータ」と呼ぶ。撮像画像のデータは、制御ユニット２０のＣＰＵ２４等に適宜供給される。
【００３３】
ユニット回路１４は、撮像素子１３から出力される出力信号を雌コネクタ１２を介して、制御ユニット２０へ伝達する。
【００３４】
雌コネクタ１２は、制御ユニット２０の雄コネクタ２１と電気的、及び機構的に接続される複数の信号線により構成される。即ち、レンズユニット１０の雌コネクタ１２の信号線は、制御ユニット２０の雄コネクタ２１と同じ規格により構成され、［ＳＩＧ４］［ＳＩＧ１］［ＳＩＧ２］［ＳＩＧ３］［ＶＣＣ２］［ＧＮＤ２］の順に並んでいる。信号線［ＳＩＧ４］［ＳＩＧ１］［ＳＩＧ２］［ＳＩＧ３］は、撮像素子１３から供給される撮像画像のデータが伝送される信号線として構成されている。信号線［ＶＣＣ２］は、電源ユニット３０の電池３３から供給される電力をレンズユニット１０に供給する信号線として構成されている。信号線［ＧＮＤ２］は、グランドとレンズユニット１０とを接続する信号線として構成されている。
【００３５】
次に、レンズユニット１０と電気的、及び機構的に接続される制御ユニット２０について説明する。
制御ユニット２０は、雄コネクタ２１と、雌コネクタ２２と、ＣＰＵ２４と、ＲＯＭ２５と、ＲＡＭ２６と、通信部２７と、入力部２８とを備えている。
【００３６】
ＣＰＵ２４は、ＲＯＭ２５に記録されているプログラム、または、他のユニット７０、８０、９０、１００のリムーバブルメディア７７からＲＡＭ２６にロードされたプログラムにしたがって各種の処理を実行する。
【００３７】
ＲＡＭ２６には、ＣＰＵ２４が各種の処理を実行する上において必要なデータ等も適宜記憶される。
通信部２７は、Ｗｉ−Ｆｉ（ｗｉｒｅｌｅｓｓ  ｆｉｄｅｌｉｔｙ）に対応するアンテナを備え、後述の図１３を参照して説明するスマートフォン３００と通信可能に構成されている。
入力部２８は、電源ボタン２３等の各種ボタンで構成され、ユーザの指示操作に応じて各種情報を入力する。
【００３８】
雄コネクタ２１は、レンズユニット１０の雌コネクタ１２と電気的、及び機構的に接続される同じ規格の複数の信号線により構成され、［ＳＩＧ４］［ＳＩＧ１］［ＳＩＧ２］［ＳＩＧ３］［ＶＣＣ２］［ＧＮＤ２］の順に並んでいる。即ち、レンズユニット１０の雌コネクタ１２の各信号線［ＳＩＧ４］［ＳＩＧ１］［ＳＩＧ２］［ＳＩＧ３］［ＶＣＣ２］［ＧＮＤ２］と、制御ユニット２０の雄コネクタ２１の各信号線［ＳＩＧ４］［ＳＩＧ１］［ＳＩＧ２］［ＳＩＧ３］［ＶＣＣ２］［ＧＮＤ２］とが互いに電気的に接続されて情報が伝達される。
【００３９】
雌コネクタ２２は、電源ユニット３０の雄コネクタ３１と電気的、及び機構的に接続される複数の信号線により構成される。即ち、制御ユニット２０の雌コネクタ２２の信号線は、電源ユニット３０の雄コネクタ３１と同じ規格により構成され、［ＣＳ＿Ｃｏｄｅ０］［ＣＳ＿Ｃｏｄｅ１］［ＣＳ＿Ｃｏｄｅ２］［ＣＳ＿Ｃｏｄｅ３］［ＣＬＫ］［ＤＡＴＡ］［ＣＳ＿ＲＥＴ］［ＧＰＩＯ］［ＶＣＣ］［ＧＮＤ］の順に並んでいる。
信号線［ＣＳ＿Ｃｏｄｅ０］［ＣＳ＿Ｃｏｄｅ１］［ＣＳ＿Ｃｏｄｅ２］［ＣＳ＿Ｃｏｄｅ３］は、制御ユニット２０のＣＰＵ２４から送信される２進数の４ビットの識別信号（ユニットコード）を伝送する信号線として構成されている。
信号線［ＣＳ＿Ｃｏｄｅ０］は、後述の図９を参照して説明する識別情報（ユニットコード）の１ビット目の信号を伝送する。信号線［ＣＳ＿Ｃｏｄｅ１］は、ユニットコードの２ビット目の信号を伝送する。信号線［ＣＳ＿Ｃｏｄｅ２］は、ユニットコードの３ビット目の信号を伝送する。信号線［ＣＳ＿Ｃｏｄｅ３］は、ユニットコードの４ビット目の信号を伝送する。
信号線［ＣＬＫ］は、制御ユニット２０と、各ユニット１０、３０、６０、７０、８０、９０、１００とを同期する同期信号ＣＬＫを伝送する信号線として構成されている。
信号線［ＤＡＴＡ］は、レンズユニット１０の撮像素子１３から供給される撮像画像のデータや、ＲＡＭ２６や、各ユニット７０、８０、９０、１００のリムーバブルメディア７７に記憶されている画像のデータ等の情報（ＤＡＴＡ）を伝送する信号線として構成されている。
信号線［ＣＳ＿ＲＥＴ］は、後述の切換回路６３、７３から送信される論理演算の演算結果のデータＣＳを伝送する信号線として構成されている。
信号線［ＧＰＩＯ］は、制御ユニット２０から供給される汎用入出力（Ｇｅｎｅｒａｌ  Ｐｕｒｐｏｓｅ  Ｉｎｐｕｔ／Ｏｕｔｐｕｔ）を行うための汎用入出力信号ＧＰＩＯをその他の各ユニット１０、３０、６０、７０、８０、９０、１００に伝送する信号線として構成されている。
信号線［ＶＣＣ］は、電源ユニット３０の電池３３から供給される電力を各ユニット１０、２０、６０、７０、８０、９０、１００に供給する信号線として構成されている。
信号線［ＧＮＤ］は、グランドと各ユニット１０、２０、３０、６０、７０、８０、９０、１００とを接続する信号線として構成されている。
【００４０】
次に、制御ユニット２０と電気的、及び機構的に接続される電源ユニット３０について説明する。
電源ユニット３０は、雄コネクタ３１と、雌コネクタ３２と、電池３３とを備えている。
【００４１】
雄コネクタ３１は、制御ユニット２０の雌コネクタ２２と電気的、及び機構的に接続される同じ規格の複数の信号線により構成され、［ＣＳ＿Ｃｏｄｅ０］［ＣＳ＿Ｃｏｄｅ１］［ＣＳ＿Ｃｏｄｅ２］［ＣＳ＿Ｃｏｄｅ３］［ＣＬＫ］［ＤＡＴＡ］［ＣＳ＿ＲＥＴ］［ＧＰＩＯ］［ＶＣＣ］［ＧＮＤ］の順に並んでいる。即ち、制御ユニット２０の雌コネクタ２２の各信号線［ＣＳ＿Ｃｏｄｅ０］［ＣＳ＿Ｃｏｄｅ１］［ＣＳ＿Ｃｏｄｅ２］［ＣＳ＿Ｃｏｄｅ３］［ＣＬＫ］［ＤＡＴＡ］［ＣＳ＿ＲＥＴ］［ＧＰＩＯ］［ＶＣＣ］［ＧＮＤ］と、電源ユニット３０の雄コネクタ３１の各信号線［ＣＳ＿Ｃｏｄｅ０］［ＣＳ＿Ｃｏｄｅ１］［ＣＳ＿Ｃｏｄｅ２］［ＣＳ＿Ｃｏｄｅ３］［ＣＬＫ］［ＤＡＴＡ］［ＣＳ＿ＲＥＴ］［ＧＰＩＯ］［ＶＣＣ］［ＧＮＤ］とが互いに電気的に接続されて情報が伝達される。
【００４２】
電源ユニット３０の雌コネクタ３２及びその他の各ユニット４０、５０、６０、７０、８０、９０、１００の雌コネクタは、制御ユニット２０の雌コネクタ２２と電気的、及び機構的に同一の構成の複数の信号線により構成されるため説明を省略する。
同様に、各ユニット４０、５０、６０、７０、８０、９０、１００の雌コネクタは、電源ユニット３０の雄コネクタ３１と電気的、及び機構的に同一の構成の複数の信号線により構成されるため説明を省略する。
即ち、各ユニット４０、５０、６０、７０、８０、９０、１００の雌コネクタと、雄コネクタとは、互いに電気的、及び機構的に同一の構成の複数の信号線により構成されているため、各ユニット４０、５０、６０、７０、８０、９０、１００の雄コネクタと雌コネクタ同士を接続することで、各ユニット４０、５０、６０、７０、８０、９０、１００同士を電気的、及び機構的に自由に接続し、かつ各ユニット４０、５０、６０、７０、８０、９０、１００間に信号を伝達することができる。
【００４３】
電池３３は、例えば、リチウムイオン二次電池により構成され、各ユニット１０、２０、６０、７０、８０、９０、１００に駆動用の電力を供給する電力供給源である。
【００４４】
次に、電源ユニット３０と電気的、及び機構的に接続されるターンテーブル制御ユニット６０について説明する。
ターンテーブル制御ユニット６０は、雄コネクタ６１と、雌コネクタ６２と、切換回路６３と、ユニット回路６４と、ＡＣ電源１２１と、モーター回路１２２とを備えている。
ターンテーブル制御ユニット６０の雄コネクタ６１及び雌コネクタ６２の構成は、各ユニット３０、４０、５０、７０、８０、９０、１００の雄コネクタ及び雌コネクタの構成と同一であるため、説明を省略する。
【００４５】
切換回路６３は、雄コネクタ６１を介して制御ユニット２０のＣＰＵ２４から送信された識別情報（ユニットコード）（Ｃｏｄｅ０〜３）に基づいて論理演算し、演算結果の情報ＣＳ＿ＲＥＴを制御ユニット２０のＣＰＵ２４に伝達する。また、切換回路６３は、論理演算の演算結果の情報ＣＳを、ユニット回路６４に伝達する。切換回路６３の詳細については、図８を参照して後述する。
【００４６】
ユニット回路６４は、切換回路６３から伝達された論理演算の演算結果の情報ＣＳ、雄コネクタ６１を介して制御ユニット２０のＣＰＵ２４から送信された同期信号ＣＬＫ、各種情報ＤＡＴＡ、汎用入出力信号ＧＰＩＯに基づきＡＣ電源１２１及びモーター回路１２２を制御する。具体的には、制御ユニット２０のＣＰＵ２４からモーター回路１２２を駆動する情報が伝達された場合には、ユニット回路６４は、モーター回路１２２に対し制御信号を伝達することで、モーター回路１２２を駆動する制御を実行する。
【００４７】
ＡＣ電源１２１は、ＡＣアダプタにより構成され、モーター回路１２２に駆動用の電力を供給する電力供給源である。
【００４８】
モーター回路１２２は、ユニット回路６４を介して制御ユニット２０のＣＰＵ２４から伝達された制御信号と、ＡＣ電源１２１から供給された電力とに基づいて、モーターを駆動することで、ターンテーブル１２０に支持された電子機器１全体を回転駆動する。
【００４９】
次に、制御ユニット２０、電源ユニット３０、ターンテーブル制御ユニット６０等と電気的、及び機構的に接続される表示制御ユニット７０、マイクユニット８０、プロジェクターユニット９０、通信ユニット１００について説明する。各ユニット７０、８０、９０、１００の基本構成は、略同一であるため、ここでは、表示制御ユニット７０の構成を説明して、他のユニット８０、９０、１００の説明を省略する。
【００５０】
表示制御ユニット７０は、雄コネクタ７１と、雌コネクタ７２と、切換回路７３と、ユニット回路７４と、メモリ７５と、ドライブ７６と、リムーバブルメディア７７とを備えている。
表示制御ユニット７０の雄コネクタ７１及び雌コネクタ７２の構成は、各ユニット３０、４０、５０、６０、８０、９０、１００の雄コネクタ及び雌コネクタの構成と電気的、及び機構的に同一であるため、説明を省略する。
表示制御ユニット７０の切換回路７３の構成は、ターンテーブル制御ユニット６０の切換回路６３の構成と略同一であるため、説明を省略する。
【００５１】
表示制御ユニット７０のユニット回路７４は、切換回路７３から伝達された論理演算の演算結果の情報ＣＳ、雄コネクタ７１を介して制御ユニット２０のＣＰＵ２４から送信された同期信号ＣＬＫ、画像のデータや撮像画像のデータ等の情報ＤＡＴＡ、汎用入出力信号ＧＰＩＯに基づき表示ユニット１１０に画像を表示する制御を実行する。具体的には、制御ユニット２０のＣＰＵ２４を介してレンズユニット１０から撮像画像のデータが伝達された場合には、ユニット回路７４は、撮像画像のデータを表示ユニット１１０に供給することで、表示ユニット１１０で撮像画像を表示する制御を実行する。
【００５２】
マイクユニット８０のユニット回路は、切換回路から伝達された論理演算の演算結果の情報ＣＳ、雄コネクタを介して制御ユニット２０のＣＰＵ２４から送信された同期信号ＣＬＫ、各種情報ＤＡＴＡ、汎用入出力信号ＧＰＩＯに基づきマイク（図示せず）から音声のデータを取得する制御を実行する。マイクユニットのユニット回路は、取得した音声のデータを制御ユニット２０のＣＰＵ２４やメモリ７５，リムーバブルメディア７７等に供給する。
【００５３】
プロジェクターユニット９０のユニット回路は、切換回路７３から伝達された論理演算の演算結果の情報ＣＳ、雄コネクタ７１を介して制御ユニット２０のＣＰＵ２４から送信された同期信号ＣＬＫ、画像のデータや撮像画像のデータ等の情報ＤＡＴＡ、汎用入出力信号ＧＰＩＯに基づきスクリーン（図示せず）に画像を投影する制御を実行する。具体的には、制御ユニット２０のＣＰＵ２４を介してレンズユニット１０から撮像画像のデータが伝達された場合には、プロジェクターユニット９０のユニット回路は、撮像画像を投影することで、スクリーン（図示せず）に撮像画像を投影する制御を実行する。
【００５４】
通信ユニット１００のユニット回路は、切換回路から伝達された論理演算の演算結果の情報ＣＳ、雄コネクタを介して制御ユニット２０のＣＰＵ２４から送信された同期信号ＣＬＫ、各種情報ＤＡＴＡ、汎用入出力信号ＧＰＩＯに基づき外部装置（例えば、図示せぬ外部記憶装置、表示装置、電子機器１に対する操作を行うためのユーザの入力操作を受け付ける入力操作受付装置、または他の電子機器等）との間で行う通信を制御する。通信ユニット１００のユニット回路は、外部装置（図示せず）から送信される情報を受信して、制御ユニット２０のＣＰＵ２４やメモリ７５，リムーバブルメディア７７等に供給する。
【００５５】
ドライブ７６には、磁気ディスク、光ディスク、光磁気ディスク、或いは半導体メモリ等よりなる、リムーバブルメディア７７が適宜装着される。
ドライブ７６によってリムーバブルメディア７７から読み出されたプログラムは、必要に応じてメモリ７５にインストールされる。
また、リムーバブルメディア７７は、制御ユニット２０のＲＡＭ２６に記録されている撮像画像のデータ等の各種データも、ＲＡＭ２６と同様に記憶することができる。即ち、リムーバブルメディア７７は、内蔵メモリとしてのＲＡＭ２６に対して提供するための、新たな画像のデータを記憶する画像提供媒体として機能する。
【００５６】
次に、図８を参照して、図１〜図６において接続される各ユニット１０、２０、３０、６０、７０、８０、９０、１００の回路構成について説明する。
図８は、本実施形態の電子機器１を構成する各ユニット１０、２０、３０、６０、７０、８０、９０、１００のうち、表示制御ユニット７０の回路構成を示すブロック図である。各ユニット１０、２０、３０、６０、８０、９０、１００の回路構成は、表示制御ユニット７０の回路構成と略同様であるため説明を省略する。
【００５７】
各ユニット１０、２０、３０、６０、７０、８０、９０、１００には、固有の識別情報（ユニットコード）が与えられており、各ユニット１０、２０、３０、６０、７０、８０、９０、１００のメモリ７５に記憶されている。
各ユニット１０、２０、３０、６０、７０、８０、９０、１００を一意に識別するためのハードコードと、識別情報（ユニットコード）とが対応付けられたコードテーブルが制御ユニット２０のＲＯＭ２５に記憶されている。
【００５８】
図９を参照して、各ユニット１０、２０、３０、６０、７０、８０、９０、１００を示すハードコードと、識別情報（ユニットコード）とが対応付けられたコードテーブルについて説明する。
図９は、制御ユニット２０のＲＯＭ２５に記憶されたコードテーブルの一例を示す図である。
制御ユニット２０のＲＯＭ２５に記憶されているコードテーブルは、「ユニット」「ハードコード」「ユニットコード」を含む。したがって、制御ユニット２０のＲＯＭ２５に記憶されているコードテーブルの構造は、このような関係を示すものであれば足り、特に限定されないが、本実施形態では、図９に示すように、行列構造となっている。
【００５９】
所定行に記憶される「ユニット」とは、電子機器１を構成するユニット名を示す情報である。所定行に記憶される「ハードコード」とは、各ユニット１０、２０、３０、６０、７０、８０、９０、１００を一意に識別するための符号を１０進数で表現した情報である。所定行に記憶される「ユニットコード」とは、各ユニット１０、２０、３０、６０、７０、８０、９０、１００を一意に識別するための符号を２進数で表現した情報である。
【００６０】
具体的には、ユニット「レンズユニット１０」に対応する「ハードコード」として「０００１」が記憶されている。そして、そのハードコード「０００１」に対応する「ユニットコード」として「０００１」が記憶されている。同様に、ユニット「電源ユニット３０」に対応する「ハードコード」として「０００２」が記憶されている。そして、そのハードコード「０００２」に対応する「ユニットコード」として「００１０」が記憶されている。
即ち、本実施形態においては、各ユニット１０、２０、３０、６０、７０、８０、９０、１００に対し、ハードコードが対応付けられている。そして、各ハードコードとユニットコードとは１対１に対応している。
また、本実施形態においては、図９のコードテーブルは、制御ユニット２０のＲＯＭ２５に記憶しているがこれに限られるものではなく、ＲＡＭ２６やリムーバブルメディア（図示せず）であってもよい。
【００６１】
図８の切換回路７３は、ＥＸＯＲ回路７８−１と、ＥＸＯＲ回路７８−２と、ＥＸＯＲ回路７８−３と、ＥＸＯＲ回路７８−４と、ＯＲ回路７９とを備えている。
【００６２】
ＥＸＯＲ回路７８−１は、制御ユニット２０のＣＰＵ２４から送信され、雄コネクタ７１の信号線［ＣＳ＿Ｃｏｄｅ０］から入力されたユニットコードと、メモリ７５内の［Ｃｏｄｅ０］に記憶されているユニットコードとに基づいて排他的論理和により論理演算する。そして、ＥＸＯＲ回路７８−１は、論理演算した演算結果をＯＲ回路７９に出力する。
ＥＸＯＲ回路７８−２は、制御ユニット２０のＣＰＵ２４から送信され、雄コネクタ７１の信号線［ＣＳ＿Ｃｏｄｅ１］から入力されたユニットコードと、メモリ７５内の［Ｃｏｄｅ１］に記憶されているユニットコードとに基づいて排他的論理和により論理演算する。そして、ＥＸＯＲ回路７８−２は、論理演算した演算結果をＯＲ回路７９に出力する。
ＥＸＯＲ回路７８−３は、制御ユニット２０のＣＰＵ２４から送信され、雄コネクタ７１の信号線［ＣＳ＿Ｃｏｄｅ２］から入力されたユニットコードと、メモリ７５内の［Ｃｏｄｅ２］に記憶されているユニットコードとに基づいて排他的論理和により論理演算する。そして、ＥＸＯＲ回路７８−３は、論理演算した演算結果をＯＲ回路７９に出力する。
ＥＸＯＲ回路７８−４は、制御ユニット２０のＣＰＵ２４から送信され、雄コネクタ７１の信号線［ＣＳ＿Ｃｏｄｅ３］から入力されたユニットコードと、メモリ７５内の［Ｃｏｄｅ３］に記憶されているユニットコードとに基づいて排他的論理和により論理演算する。そして、ＥＸＯＲ回路７８−４は、論理演算した演算結果をＯＲ回路７９に出力する。
ＯＲ回路７９は、ＥＸＯＲ回路７８−１、７８−２、７８−３、７８−４から出力された各演算結果に基づいて論理和により論理演算する。そして、ＯＲ回路７９は、論理演算した演算結果を、雄コネクタ７１の信号線［ＣＳ＿ＲＥＴ］を通じて制御ユニット２０のＣＰＵ２４に出力すると共に、ユニット回路７４に出力する。
【００６３】
次に、図１０を参照して各ユニット３０、６０、７０、８０、９０、１００の切換回路７３の動作の説明を行う。
図１０は、各ユニット３０、６０、７０、８０、９０、１００の雄コネクタ及び雌コネクタを構成する信号線［ＣＳ＿Ｃｏｄｅ０］［ＣＳ＿Ｃｏｄｅ１］［ＣＳ＿Ｃｏｄｅ２］［ＣＳ＿Ｃｏｄｅ３］［ＣＬＫ］［ＤＡＴＡ］［ＣＳ＿ＲＥＴ］［ＧＰＩＯ］［ＶＣＣ］［ＧＮＤ］の状態を示す図である。
制御ユニット２０のＣＰＵ２４から、ユニットコード「０１１０」を有するハードコード「０００６」の表示制御ユニット７０に対し、ユニットコード「０１１０」の信号が送信された場合の例について説明する。
雄コネクタ７１の信号線［ＣＳ＿Ｃｏｄｅ０］からユニットコードの１ビット目のデータ「０」が入力されると共に、メモリ７５内の［Ｃｏｄｅ０］に記憶されているユニットコードの１ビット目のデータ「０」が入力される。ＥＸＯＲ回路７８−１は、信号線［ＣＳ＿Ｃｏｄｅ０］のデータ「０」及びメモリ７５内のデータ「０」に基づいて排他的論理和により論理演算した演算結果のデータ「０」をＯＲ回路７９に出力する。
同様に、雄コネクタ７１の信号線［ＣＳ＿Ｃｏｄｅ１］からユニットコードの２ビット目のデータ「１」が入力されると共に、メモリ７５内の［Ｃｏｄｅ１］に記憶されているユニットコードの２ビット目のデータ「１」が入力される。ＥＸＯＲ回路７８−２は、信号線［ＣＳ＿Ｃｏｄｅ１］のデータ「１」及びメモリ７５内のデータ「１」に基づいて排他的論理和により論理演算した演算結果のデータ「０」をＯＲ回路７９に出力する。
同様に、ＥＸＯＲ回路７８−３は、信号線［ＣＳ＿Ｃｏｄｅ２］のデータ「１」及びメモリ７５内のデータ「１」に基づいて排他的論理和により論理演算した演算結果のデータ「０」をＯＲ回路７９に出力する。
同様に、ＥＸＯＲ回路７８−４は、信号線［ＣＳ＿Ｃｏｄｅ３］のデータ「０」及びメモリ７５内のデータ「０」に基づいて排他的論理和により論理演算した演算結果のデータ「０」をＯＲ回路７９に出力する。
ＯＲ回路７９は、ＥＸＯＲ回路７８−１、７８−２、７８−３、７８−４から出力された各演算結果のデータ「０」「０」「０」「０」に基づいて論理演算した演算結果のデータ「０」をＣＳとして雄コネクタ７１の信号線［ＣＳ＿ＲＥＴ］を通じて制御ユニット２０のＣＰＵ２４に出力する。信号線［ＣＳ＿ＲＥＴ］にＣＳ「０」が伝送された場合、信号線［ＣＳ＿ＲＥＴ］の状態がＬｏｗアクティブ状態となる。
制御ユニット２０のＣＰＵ２４は、制御ユニット２０のＣＰＵ２４が送信したユニットコードと、ＣＰＵ２４から送信されたユニットコードを検出したユニットのユニットコードとが一致した場合、当該ユニットが電子機器１に接続されているということを確認することができる。即ち、ＣＰＵ２４は、信号線［ＣＳ＿ＲＥＴ］の状態がＬｏｗアクティブ状態であるか否かを判定することにより、当該ユニットが電子機器１に接続されていることを確認できる。したがって、ＣＰＵ２４は、信号線［ＣＳ＿ＲＥＴ］の状態がＬｏｗアクティブ状態の場合、信号線［ＣＬＫ］を通じて、制御ユニット２０と当該ユニットの同期を行うと共に、信号線［ＤＡＴＡ］を通じて、制御ユニット２０と当該ユニット間との間でデータの伝送を行う。
【００６４】
これに対し、制御ユニット２０のＣＰＵ２４から、ユニットコード「０１１１」を有するハードコード「０００７」のマイクユニット８０に対し、ユニットコード「０１１０」の信号が送信された場合の例について説明する。
雄コネクタ７１の信号線［ＣＳ＿Ｃｏｄｅ０］からユニットコードの１ビット目のデータ「０」が入力されると共に、メモリ７５内の［Ｃｏｄｅ０］に記憶されているユニットコードの１ビット目のデータ「０」が入力される。ＥＸＯＲ回路７８−１は、信号線［ＣＳ＿Ｃｏｄｅ０］のデータ「０」及びメモリ７５内のデータ「０」に基づいて排他的論理和により論理演算した演算結果のデータ「０」をＯＲ回路７９に出力する。
同様に、雄コネクタ７１の信号線［ＣＳ＿Ｃｏｄｅ１］からユニットコードの２ビット目のデータ「１」が入力されると共に、メモリ７５内の［Ｃｏｄｅ１］に記憶されているユニットコードの２ビット目のデータ「１」が入力される。ＥＸＯＲ回路７８−２は、信号線［ＣＳ＿Ｃｏｄｅ１］のデータ「１」及びメモリ７５内のデータ「１」に基づいて排他的論理和により論理演算した演算結果のデータ「０」をＯＲ回路７９に出力する。
同様に、ＥＸＯＲ回路７８−３は、信号線［ＣＳ＿Ｃｏｄｅ２］のデータ「１」及びメモリ７５内のデータ「１」に基づいて排他的論理和により論理演算した演算結果のデータ「０」をＯＲ回路７９に出力する。
同様に、ＥＸＯＲ回路７８−４は、信号線［ＣＳ＿Ｃｏｄｅ３］のデータ「０」及びメモリ７５内のデータ「１」に基づいて排他的論理和により論理演算した演算結果のデータ「１」をＯＲ回路７９に出力する。
ＯＲ回路７９は、ＥＸＯＲ回路７８−１、７８−２、７８−３、７８−４から出力された各演算結果のデータ「０」「０」「０」「１」に基づいて論理演算した演算結果のデータ「１」をＣＳとして雄コネクタ７１の信号線［ＣＳ＿ＲＥＴ］を通じて制御ユニット２０のＣＰＵ２４に出力する。信号線［ＣＳ＿ＲＥＴ］にＣＳ「１」が伝送された場合、信号線［ＣＳ＿ＲＥＴ］の状態がＨｉｇｈ状態のままとなる。したがって、制御ユニット２０のＣＰＵ２４は、信号線［ＣＳ＿ＲＥＴ］の状態がＨｉｇｈ状態のままであることを確認することで、当該ユニットが電子機器１に接続されていないことを確認できる。
【００６５】
このように、制御ユニット２０のＣＰＵ２４から送信されたユニットコードと、各ユニット３０、６０、７０、８０、９０、１００のユニットコードとが、一致しない場合には、ＣＳとして「１」が出力される。これに対し、制御ユニット２０のＣＰＵ２４から送信されたユニットコードと、各ユニット３０、６０、７０、８０、９０、１００のユニットコードとが、一致する場合には、ＣＳとして「０」が出力される。上述の例では、表示制御ユニット７０について説明したが、各ユニット３０、６０、８０、９０、１００においても、同様に行われる。
【００６６】
次に、図１１のフローチャートを参照して、このような機能的構成を有する図７の電子機器１が実行する接続ユニット検索処理について説明する。
図１１は、接続ユニット検索処理の流れの一例を示すフローチャートである。
接続ユニット検索処理は、本実施形態では、ユーザが電源ボタン２３を介して入力部２８に入力操作を行った場合、その操作を契機として開始される。
【００６７】
図１１において、接続ユニット検索処理が開始されると、ステップＳ１１において、ＣＰＵ２４は、メモリ初期化を行う。この処理では、ＣＰＵ２４は、ＲＡＭ２６や各ユニット７０、８０、９０、１００のメモリ７５に一時的に記憶されているデータの初期化を行うと共に、ＲＯＭ２５やリムーバブルメディア７７に記憶されている各種情報を読み込む。
【００６８】
ステップＳ１２において、ＣＰＵ２４は、ＲＡＭ２６を参照して、図９のコードテーブルに記憶されているユニットのうち、確認するユニットのユニットコードを設定する。そして、ＣＰＵ２４は、設定したユニットコードを信号線［ＣＳ＿Ｃｏｄｅ０］［ＣＳ＿Ｃｏｄｅ１］［ＣＳ＿Ｃｏｄｅ２］［ＣＳ＿Ｃｏｄｅ３］を通じて、各ユニット３０、４０、５０、６０、７０、８０、９０、１００に伝送する。
【００６９】
ステップＳ１３において、ＣＰＵ２４は、信号線［ＣＳ＿ＲＥＴ］の状態はＬｏｗアクティブ状態か否かを判定する。信号線［ＣＳ＿ＲＥＴ］の状態がＬｏｗアクティブ状態である場合には、ステップＳ１３においてＹＥＳであると判定されて、処理はステップＳ１４に進む。
【００７０】
ステップＳ１４において、ＣＰＵ２４は、ステップＳ１２において設定したユニットコードに対応するユニットが電子機器１に接続されていることを検出する。
これに対し、信号線［ＣＳ＿ＲＥＴ］の状態がＬｏｗアクティブ状態でない場合、即ち、Ｈｉｇｈ状態のままである場合には、ステップＳ１３においてＮＯであると判定されて、処理はステップＳ１５に進む。
【００７１】
ステップＳ１５において、ＣＰＵ２４は、ステップＳ１２において設定したユニットコードに対応するユニットが電子機器１に接続されていないこと、即ち当該ユニットが電子機器１に未接続であることを検出する。
【００７２】
ステップＳ１６において、ＣＰＵ２４は、検出したユニットのユニットコードをＲＡＭ２６に記憶する。この処理では、ステップＳ１４において電子機器１に接続されていることを検出したユニット（以下、「接続ユニット」と呼ぶ）のユニットコードをＲＡＭ２６に記憶することで、電子機器１を構成する各ユニットの現在の接続状態を把握することができる。
【００７３】
ステップＳ１７において、ＣＰＵ２４は、検索ユニットコードは最終値か否かの判定を行う。この処理では、ＣＰＵ２４は、ＲＡＭ２６を参照して、図９のコードテーブルに記憶されている全てのユニットのユニットコードについてステップＳ１２のユニットコードの設定を行ったか否かを判定する。検索ユニットコードが最終値である場合、即ち、図９のコードテーブルに記憶されている全てのユニットのユニットコードについてユニットコードの設定を行った場合、ステップＳ１７においてＹＥＳであると判定されて、接続ユニット検索処理が終了する。これに対し、検索ユニットコードは最終値ではない場合、即ち、図９のコードテーブルに記憶されている全てのユニットのユニットコードについてユニットコードの設定が行われていない場合、ステップＳ１７においてＮＯであると判定されて、処理はステップＳ１２に戻る。即ち、全てのユニットのユニットコードについてユニットコードの設定が行われるまでの間、ステップＳ１２乃至ステップＳ１７の処理が繰り返し実行される。そして、全てのユニットのユニットコードについてユニットコードの設定が行われると、ステップＳ１７においてＹＥＳであると判定されて、接続ユニット検索処理は終了となる。
【００７４】
次に、図１２を参照して、このような図７のハードウェア構成の電子機器１が実行する、接続ユニット操作処理について説明する。接続ユニット操作処理は、図１１の接続ユニット検索処理とは独立して実行される処理（並行して実行される場合あり）であり、ユーザが電源ボタン２３を介して入力部２８に入力操作を行った場合、その操作を契機として開始され、次のような処理が繰り返し実行される。
図１２は、接続ユニット操作処理の流れを説明するフローチャートである。
【００７５】
ステップＳ３１において、ＣＰＵ２４は、ＲＡＭ２６を参照して、電子機器１に接続されている接続ユニットを確認する。即ち、この処理では、ＣＰＵ２４は、図１１のステップＳ１６において、ＲＡＭ２６に記憶された接続ユニットの情報を呼び出して確認する。
【００７６】
ステップＳ３２において、ＣＰＵ２４は、通信部２７を介してステップＳ３１において確認された接続ユニットの操作メニューを図１３のスマートフォン３００のタッチパネル３０１に表示する制御を実行する。
図１３を参照して、スマートフォン３００のタッチパネル３１０に表示される操作メニューの一例について説明する。
図１３は、スマートフォン３００のタッチパネル３１０に表示された操作メニューを示す表示例である。
【００７７】
タッチパネル３１０には、画像表示領域３２１、ターンテーブル操作領域３２２、ＬＥＤライトボタン３３１、ＧＰＳボタン３３２、温度センサボタン３３３及び赤外モーションセンサボタン３３４が表示されている。
【００７８】
画像表示領域３２１は、タッチパネル３１０の上側に配置され、レンズユニット１０において撮像された撮像画像やライブビュー画像が表示される。即ち、画像表示領域３２１は、電子機器１にレンズユニット１０が接続されている場合に表示される領域である。
【００７９】
ターンテーブル操作領域３２２は、タッチパネル３１０の左下側に配置され、ターンテーブル１２０を操作するための上下左右の矢印ボタンが表示される。即ち、ターンテーブル操作領域３２２は、ターンテーブル制御ユニット６０が接続されている場合に表示される領域である。ターンテーブル操作領域３２２に表示されている上下左右の矢印ボタンがユーザにより操作された場合、制御ユニット２０を介してターンテーブル制御ユニット６０によりターンテーブル１２０を回転する制御が行われる。
【００８０】
ＬＥＤライトボタン３３１は、タッチパネル３１０の右下側に配置され、ＬＥＤライトユニット（図示せず）が電子機器１に接続されている場合に表示されるボタンである。ＧＰＳ（Ｇｌｏｂａｌ  Ｐｏｓｉｔｉｏｎｉｎｇ  Ｓｙｓｔｅｍ）ボタン３３２は、タッチパネル３１０の右下側に配置され、ＧＰＳユニット（図示せず）が電子機器１に接続されている場合に表示されるボタンである。温度センサボタン３３３は、タッチパネル３１０の右下側に配置され、温度センサユニット（図示せず）が電子機器１に接続されている場合に表示されるボタンである。赤外モーションセンサボタン３３４は、タッチパネル３１０の右下側に配置され、赤外モーションセンサユニット（図示せず）が電子機器に接続されている場合に表示されるボタンである。
電子機器１を構成するユニットとして接続が確認できないユニットに対応する領域やボタンは、グレーに表示される。例えば、図１３に示すように、ＣＰＵ２４により、ＧＰＳユニットが電子機器１に接続されていないと確認された場合、ＧＰＳボタン３３２がグレー表示される。同様に、ＣＰＵ２４により、赤外モーションセンサユニットが電子機器１に接続されていないと確認された場合、赤外モーションセンサボタン３３４がグレー表示される。本実施形態においては、電子機器１に接続されていないユニットに対応する領域またはボタンをグレー表示するようにしているが、非表示とすることも可能である。
【００８１】
ステップＳ３３において、ＣＰＵ２４は、ユーザがスマートフォン３００のタッチパネル３１０を介して操作メニューを操作したか、即ち特定のユニットを選択して当該ユニットに対応する入力操作をしたか否かを判定する。ユーザが操作メニューを操作していないと判定した場合、ステップＳ３３においてＮＯであると判定されて、接続ユニット操作処理は終了する。これに対し、ユーザがタッチパネル３１０を介して操作メニューを操作したと判定した場合、ステップＳ３３においてＹＥＳであると判定されて、処理はステップＳ３４に進む。
【００８２】
ステップＳ３４において、ＣＰＵ２４は、他のユニットを操作中か否かを判定する。この処理では、ＣＰＵ２４は、ステップＳ３２において表示した操作メニュー以外のユニットに対し、ユーザが入力部２８を操作することで、操作をしたか否かを判定する。他のユニットを操作したと判定した場合には、ステップＳ３４においてＹＥＳであると判定されて、処理はステップＳ３５に進む。
【００８３】
ステップＳ３５において、ＣＰＵ２４は、通信部２７を介して図１３のスマートフォン３００のタッチパネル３０１に、当該ユニットは使用できないことを表示する制御を実行する。したがって、ユーザは当該ユニットが使用できないことの表示を確認することで、ユニットが使用中であることを把握することができる。この処理が終了すると、接続ユニット操作処理が終了となる。
【００８４】
ステップＳ３４において、他のユニットを操作していないと判定した場合には、ステップＳ３４においてＮＯであると判定されて、処理はステップＳ３６に進む。
【００８５】
ステップＳ３６において、ＣＰＵ２４は、ステップＳ３３において操作された操作メニューに対応するユニットのユニットコードをＲＡＭ２６に記憶されている図９のコードテーブルを参照して設定する。そして、ＣＰＵ２４は、設定したユニットコードを、信号線［ＣＳ＿Ｃｏｄｅ０］［ＣＳ＿Ｃｏｄｅ１］［ＣＳ＿Ｃｏｄｅ２］［ＣＳ＿Ｃｏｄｅ３］を介して、選択されたユニットに伝送する。
【００８６】
ステップＳ３７において、ＣＰＵ２４は、信号線［ＣＳ＿ＲＥＴ］の状態を確認して、Ｌｏｗアクティブ状態であるか否かを判定する。この処理では、ステップＳ３６で伝送したユニットが電子機器１に接続されているか否かを判定する。信号線［ＣＳ＿ＲＥＴ］の状態がＬｏｗアクティブ状態ではないと判定された場合、即ち、当該ユニットが電子機器１に接続されていない場合、ステップＳ３７においてＮＯであると判定されて、処理はステップＳ３８に進む。
【００８７】
ステップＳ３８において、ＣＰＵ２４は、通信部２７を介して図１３のスマートフォン３００のタッチパネル３０１に、ステップＳ３６で設定したユニットコードに対応する当該ユニットは未接続であることを表示する制御を実行する。したがって、ユーザは当該ユニットが電子機器１が未接続であることの表示を確認することで、ユニットが使用できないことを把握することができる。この処理が終了すると、接続ユニット操作処理が終了となる。信号線［ＣＳ＿ＲＥＴ］の状態がＬｏｗアクティブ状態であると判定された場合、即ち、当該ユニットが電子機器１に接続されている場合、ステップＳ３７においてＹＥＳであると判定されて、処理はステップＳ３９に進む。
【００８８】
ステップＳ３９において、ＣＰＵ２４はステップＳ３６で設定したユニットコードに対応するユニットに対し信号線［ＣＬＫ］や［ＤＡＴＡ］のシリアル操作や信号線［ＧＰＩＯ］の操作を行う。
ステップＳ４０において、ＣＰＵ２４は、ステップＳ３６において設定したユニットコードを解除する。そして、ＣＰＵ２４は、信号線［ＣＳ＿Ｃｏｄｅ０］［ＣＳ＿Ｃｏｄｅ１］［ＣＳ＿Ｃｏｄｅ２］［ＣＳ＿Ｃｏｄｅ３］を介する伝送を停止する。この処理が終了すると、接続ユニット操作処理が終了となる。
【００８９】
次に、図１４を参照して、このような図７のハードウェア構成の電子機器１が実行する、接続ユニット確認処理について説明する。接続ユニット確認処理は、図１１の接続ユニット検索処理及び図１２の接続ユニット操作処理とは独立して実行される処理（並行して実行される場合あり）であり、ユーザがスマートフォン３００の電源をオンにして入力操作を行った場合、その操作を契機として開始され、次のような処理が繰り返し実行される。
図１４は、接続ユニット確認処理の流れを説明するフローチャートである。
ステップＳ５１において、ＣＰＵ２４は、通信部２７を介してスマートフォン３００からＷｉ−Ｆｉ接続を受け付ける。
【００９０】
ステップＳ５２において、ＣＰＵ２４は、検索ユニットコードは最終値か否かの判定を行う。この処理では、ＣＰＵ２４は、ＲＡＭ２６を参照して、図９のコードテーブルに記憶されている全てのユニットのユニットコードについてステップＳ５７の接続フラグのセットまたはステップＳ５８の接続フラグのリセットを行ったか否かを判定する。検索ユニットコードが最終値である場合、即ち、図９のコードテーブルに記憶されている全てのユニットのユニットコードについて接続フラグのセットまたはリセットを行った場合、ステップＳ５２においてＹＥＳであると判定されて、処理はステップＳ５３に進む。
【００９１】
ステップＳ５３において、ＣＰＵ２４は、通信部２７を介して、スマートフォン３００に接続ユニットフラグを転送する。この処理が終了すると、接続ユニット確認処理が終了となる。検索ユニットコードが最終値でない場合、即ち、図９のコードテーブルに記憶されている全てのユニットのユニットコードについて未だ接続フラグのセットまたはリセットが行われていない場合、ステップＳ５２においてＮＯであると判定されて、処理はステップＳ５４に進む。
【００９２】
ステップＳ５４において、ＣＰＵ２４は、ＲＡＭ２６を参照して、図９のコードテーブルに記憶されているユニットのユニットコードを「１」インクリメントする。
ステップＳ５５において、ＣＰＵ２４は、ステップＳ５４においてインクリメントしたユニットコードに対応するユニットコードを設定する。
【００９３】
ステップＳ５６において、ＣＰＵ２４は、信号線［ＣＳ＿ＲＥＴ］の状態を確認して、Ｌｏｗアクティブ状態であるか否かを判定する。この処理では、ステップＳ５５において設定したユニットコードに対応するユニットが電子機器１に接続されているか否かを判定する。信号線［ＣＳ＿ＲＥＴ］の状態がＬｏｗアクティブ状態であると判定された場合、即ち、当該ユニットが電子機器１に接続されている場合、ステップＳ５６においてＹＥＳであると判定されて、処理はステップＳ５７に進む。
【００９４】
ステップＳ５７において、ＣＰＵ２４は、ステップＳ５５において設定したユニットコードに対応するユニットの接続フラグをセット、即ち、フラグを１にセットする。この処理では、ユニットコードに対応するユニットごとの接続状態を確認するための接続フラグがセットされる。この処理が終了すると、処理はステップＳ５２に戻る。
これに対し、信号線［ＣＳ＿ＲＥＴ］の状態がＬｏｗアクティブ状態ではないと判定された場合、即ち、ステップＳ５５において設定したユニットコードに対応する当該ユニットが電子機器１に接続されていない場合、ステップＳ５６においてＮＯであると判定されて、処理はステップＳ５８に進む。
【００９５】
ステップＳ５８において、ＣＰＵ２４は、ステップＳ５５において設定したユニットコードに対応するユニットの接続フラグをリセット、即ち、フラグを０にセットする。この処理では、ユニットコードに対応するユニットごとの接続状態を確認するための接続フラグがリセットされる。この処理が終了すると、処理はステップＳ５２に戻る。即ち、図９のコードテーブルに記憶されている全てのユニットのユニットコードについて接続フラグをオンまたはリセットするまでの間、ステップＳ５２乃至ステップＳ５８の処理が繰り返し実行される。そして、全てのユニットのユニットコードについて接続フラグがオンまたはリセットされると、ステップＳ５２においてＹＥＳであると判定されて、設定した接続フラグの情報がスマートフォン３００に転送され、接続ユニット確認処理は終了となる。
【００９６】
以上説明したように、本実施形態の電子機器１は、個々に固有の機能を有する複数のユニット１０、２０、３０、６０、７０、８０、９０、１００を電気的、及び機構的に接続してなる。
そして、電子機器１は、複数のユニット１０、２０、３０、６０、７０、８０、９０、１００の接続する組合せに応じて当該電子機器１全体としての機能を異ならせることを可能とする。
そのため、各ユニット１０、２０、３０、５０、６０、７０、８０、９０、１００を自在に組合せることができるので、ユーザは、所望の組合せにより各ユニットを接続することで、電子機器１を用途別に、最小限の大きさで接続して使用することができる。また、不必要な機能を奏するユニットを用いずに、必要最小限の機能を有するユニットのみを接続することで、電子機器１全体として最小限の消費電力に抑えることができる。
【００９７】
また、複数のユニット２０、３０、５０、６０、７０、８０、９０、１００の接続する順番が自由に変更可能である。
そのため、ユーザの好みに応じて電子機器１の重量バランスや使い勝手を自由に調整することができる。
【００９８】
また、複数のユニット２０、３０、５０、６０、７０、８０、９０、１００の接続する順番に応じて機能を異ならせることを可能とする。
そのため、ユーザは各ユニット２０、３０、５０、６０、７０、８０、９０、１００を接続する順番を変更するだけで、右手用（右利き用）または左手用（左利き用）に最適な順番で電子機器１の機能を自由に変更することができる。
【００９９】
また、複数のユニット１０、２０、３０、５０、６０、７０、８０、９０、１００のうち一の制御ユニット２０は、当該電子機器１全体を制御する制御機能を有する。そして、複数のユニット１０、３０、６０、７０、８０、９０、１００ごとに識別情報（ユニットコード）を予め定めておき、制御機能を有する制御ユニット２０該識別情報を照合することで当該電子機器１全体としての機能を特定する。
そのため、制御ユニット２０は、識別情報（ユニットコード）により各ユニットの接続状態を照合することで、電子機器１全体のユニットの構成を容易に把握することができる。これにより、シンプルな構成で発展性、応用性の高い電子機器１を実現することが実現可能となる。
【０１００】
また、複数のユニット２０、３０、５０、６０、７０、８０、９０、１００は接続のための共通のコネクタ（雄コネクタ及び雌コネクタ）を備える。そして、複数のユニット２０、３０、５０、６０、７０、８０、９０、１００が接続されている状態では、コネクタ（雄コネクタ及び雌コネクタ）を、識別情報を含む情報がスルーパスで伝送される。
そのため、ユーザは、共通のコネクタ（雄コネクタ及び雌コネクタ）を介して各ユニット２０、３０、５０、６０、７０、８０、９０、１００同士を互いに自由に接続可能である。したがって、シンプルな構成で発展性、及び応用性の高い電子機器１を実現することが可能となる。
【０１０１】
また、複数のユニット１０、２０、５０、３０、６０、７０、８０、９０、１００のうち一のユニット（放熱ユニット５０）は、識別情報（ユニットコード）を持たず放熱機能を有する。
そのため、放熱ユニット５０を高温を発するユニットに隣接して配置することで、放熱を容易に行うことができると共に、熱が苦手なユニットと熱を発するユニットとの間に放熱ユニット５０を配置することで、熱が苦手なユニットの損傷を防ぐことができる。
【０１０２】
また、コネクタ（雄コネクタ及び雌コネクタ）は延長ケーブル４１により接続可能である。
そのため、延長ケーブル４１により距離をおきたいユニット間を接続することにより、電子機器１を、より自由度の高い用途に使用することができる。
【０１０３】
また、複数のユニット１０、２０、３０、５０、６０、７０、８０、９０、１００の断面形状が略同一である。
そのため、電子機器１全体を一体感のある安定とした形態とすることができる。
【０１０４】
また、複数のユニット１０、２０、３０、５０、６０、７０、８０、９０、１００は各々接続時に露出する面に該ユニットの有する機能を識別可能とする文字、数字或いは記号が記されている。
そのため、ユーザは、各ユニット１０、２０、３０、５０、６０、７０、８０、９０、１００を組合せた装置がどのような機能を有するのか一目瞭然で把握することができる。
【０１０５】
また、複数のユニットのうち一のユニット（制御ユニット２０）は、外部機器（スマートフォン３００）との通信を行う通信機能（通信部２７）を有し、表示或いは操作機能を、通信機能（通信部２７）を有するユニット（制御ユニット２０）による通信を介して外部機器（スマートフォン３００）により行う。
そのため、通信を介してタッチパネル３１０を備えたスマートフォン３００等により、表示及び操作を行うことにより、当該電子機器１を最小限の構成にすることができ、電子機器１の小型化が可能となる。
【０１０６】
また、複数のユニット１０、３０、６０、７０、８０、９０、１００の状態を外部機器（スマートフォン３００）で表示する制御を実行する。
そのため、ユーザはスマートフォン３００を見ることにより、各ユニット１０、３０、６０、７０、８０、９０、１００の状態を容易に把握することが可能となる。
【０１０７】
複数のユニット１０、３０、６０、７０、８０、９０、１００のうち電子機器１に接続されているユニット１０、３０、６０、７０、８０、９０、１００を判定し、ユニット１０、３０、６０、７０、８０、９０、１００の接続の状態を判定結果に基づいて外部機器（スマートフォン３００）で表示する制御を実行する。
そのため、ユーザはスマートフォン３００を見ることにより、各ユニット１０、３０、６０、７０、８０、９０、１００の接続されている状態を容易に把握することが可能となる。
【０１０８】
外部機器（スマートフォン３００）を操作することにより、電子機器１に接続されたユニット１０、３０、６０、７０、８０、９０、１００に対する制御を実行する。
そのため、ユーザはスマートフォン３００を操作することにより、各ユニット１０、３０、６０、７０、８０、９０、１００に対する操作を行うことができる。
【０１０９】
また、複数のユニット１０、２０、３０、６０、７０、８０、９０、１００のうち一のユニット（レンズユニット１０）は、更に撮像機能（撮像素子１３）を有し、撮像機能を有するユニット（レンズユニット１０）による撮像情報（撮像画像のデータ）を、通信機能を有するユニット（制御ユニット２０）による通信を介して撮像情報（撮像画像のデータ）を外部機器（スマートフォン３００）により処理する。
そのため、電子機器１に対する表示や操作を、制御ユニット２０の通信部２７を介してタッチパネル３１０を備えたスマートフォン３００等により行うことにより、電子機器１の構成を超小型にすることが可能となる。
【０１１０】
なお、本発明は、上述の実施形態に限定されるものではなく、本発明の目的を達成できる範囲での変形、改良等は本発明に含まれるものである。
上述の実施形態では、各ユニット２０、３０、５０、６０、７０、８０、９０、１００の接続する順番は変更可能であるとしたがこれに限られるものではない。例えば、複数のユニット２０、３０、５０、６０、７０、８０、９０、１００を接続する順番を限定可能とする凹凸部を備えることができる。
具体的には、各ユニット１０、２０、３０、５０、６０、７０、８０、９０、１００同士が接続される際の各ユニットの接触面において、それぞれ突出する凸部と、対向するユニットには、凹部を設ける。これら、凸部と凹部の位置が互いに合致した場合のみ互いのユニットを接続することができる。これにより、ユーザは、隣接して配置することで影響のあるユニット同士を接続しないようにすることができる。
【０１１１】
また、上述の実施形態では、レンズユニット１０は１種類だったがこれに限られるものではなく、他の大口径ズームレンズを有するレンズユニットや、大型の撮像素子を有するレンズユニット等、複数種類のレンズユニットを用意することができる。
【０１１２】
また、上述の実施形態では、電源ユニット３０は１種類だったがこれに限られるものではなく、容量の異なる複数の電源ユニットを用意することができる。これにより、ユーザの用途に応じて小容量の電源ユニットを接続することで、電子機器１を軽量化することができると共に、大容量の電源ユニットを接続することで、電子機器１を長時間使用することができる。
【０１１３】
また、上述の実施形態では、複数のユニット１０、２０、３０、５０、６０、７０、８０、９０、１００は各々接続時に露出する面に該ユニットの有する機能を識別可能とする文字が記されているがこれに限られるものではない。例えば、複数のユニット１０、２０、３０、５０、６０、７０、８０、９０、１００は各々接続時に露出する面に該ユニットの有する機能を識別可能な、数字や記号が記されていてもよい。
【０１１４】
また、上述の実施形態では、信号線［ＣＳ＿Ｃｏｄｅ０］［ＣＳ＿Ｃｏｄｅ１］［ＣＳ＿Ｃｏｄｅ２］［ＣＳ＿Ｃｏｄｅ３］は、２進数の４ビットの識別信号（ユニットコード）を伝送する信号線として構成されているがこれに限られるものではない。例えば、信号線を１６ビットとすることで、屋外用途では１〜１５番目の検索を行い、屋内用途では、１６〜３２番目を検索する等、環境や検索ファームウェアごとに範囲を限定することもできる。
【０１１５】
上述の実施形態では、記憶媒体としてリムーバブルメディア７７を用いているがこれに限定されない。例えば、ネットワーク上の他の装置（サーバ等）内の記憶部（ハードディスク等）でもよい。
【０１１６】
また、上述の実施形態では、本発明が適用される電子機器は、デジタルカメラを例として説明したが、特にこれに限定されない。
例えば、本発明に係る電子機器は、撮像機能を有する電子機器一般に適用することができる。具体的には、本発明に係る電子機器は、ノート型のパーソナルコンピュータ、ビデオカメラ、携帯型ナビゲーション装置、携帯電話機、ポータブルゲーム機等に適用可能である。
【０１１７】
上述した一連の処理は、ハードウェアにより実行させることもできるし、ソフトウェアにより実行させることもできる。
換言すると、図７のハードウェア構成は例示に過ぎず、特に限定されない。即ち、上述した一連の処理を全体として実行できる機能が電子機器に備えられていれば足り、この機能を実現するためにどのようなハードウェア構成を用いるのかは特に図７の例に限定されない。
【０１１８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１１９】
このようなプログラムを含む記録媒体は、ユーザにプログラムを提供するために装置本体とは別に配布される図７のリムーバブルメディア７７により構成されるだけでなく、装置本体に予め組み込まれた状態でユーザに提供される記録媒体等で構成される。リムーバブルメディア７７は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図７のＲＯＭ２５や、メモリ７５、図示せぬハードディスク等で構成される。
【０１２０】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【０１２１】
以上、本発明のいくつかの実施形態について説明したが、これらの実施形態は、例示に過ぎず、本発明の技術的範囲を限定するものではない。本発明はその他の様々な実施形態を取ることが可能であり、更に、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【０１２２】
以下に、本願の出願当初の特許請求の範囲に記載された発明を付記する。
［付記１］
個々に固有の機能を有する複数のユニットを電気的、及び機構的に接続してなる電子機器であって、
前記複数のユニットの接続する個数又は順番の異なる組合せに応じて当該電子機器全体としての機能を異ならせることを可能とすることを特徴とする電子機器。
［付記２］
前記複数のユニットの接続する順番が変更可能であることを特徴とする付記１に記載の電子機器。
［付記３］
前記複数のユニットの接続する順番に応じて機能を異ならせることを可能とすることを特徴とする付記２に記載の電子機器。
［付記４］
前記複数のユニットのうち一のユニットは、当該電子機器全体を制御する制御機能を有し、
前記複数のユニットごとに識別情報を予め定めておき、前記制御機能を有するユニットで該識別情報を照合することで当該電子機器全体としての機能を特定することを特徴とする付記１乃至３のうち何れか１つに記載の電子機器。
［付記５］
前記複数のユニットは接続のための共通のコネクタを備え、
前記複数のユニットが接続されている状態では、前記コネクタを、前記識別情報を含む情報がスルーパスで伝送されることを特徴とする付記４に記載の電子機器。
［付記６］
前記複数のユニットのうち一のユニットは、前記識別情報を持たず放熱機能を有することを特徴とする付記４または５に記載の電子機器。
［付記７］
前記コネクタは延長ケーブルにより接続可能であることを特徴とする付記５に記載の電子機器。
［付記８］
前記複数のユニットを接続する順番を限定可能とする凹凸部を備えることを特徴とする付記１乃至７のうち何れか１つに記載の電子機器。
［付記９］
前記複数のユニットの断面形状が略同一であることを特徴とする付記１乃至８のうち何れか１つに記載の電子機器。
［付記１０］
前記複数のユニットは各々接続時に露出する面に該ユニットの有する機能を識別可能とする文字、数字或いは記号が記されていることを特徴とする付記１乃至９のうち何れか１つに記載の電子機器。
［付記１１］
前記複数のユニットのうち一のユニットは、外部機器との通信を行う通信機能を有し、
表示或いは操作機能を、前記通信機能を有するユニットによる通信を介して前記外部機器により行うことを特徴とする付記１乃至１０のうち何れか１つに記載の電子機器。
［付記１２］
前記複数のユニットの状態を前記外部機器で表示する制御を実行することを特徴とする付記１１に記載の電子機器。
［付記１３］
前記複数のユニットのうち前記電子機器に接続されているユニットを判定し、前記ユニットの接続の状態を前記判定結果に基づいて前記外部機器で表示する制御を実行することを特徴とする付記１１に記載の電子機器。
［付記１４］
前記外部機器を操作することにより、前記電子機器に接続されたユニットに対する制御を実行することを特徴とする付記１１に記載の電子機器。
［付記１５］
前記複数のユニットのうち一のユニットは、更に撮像機能を有し、
前記撮像機能を有するユニットによる撮像情報を、前記通信機能を有するユニットによる通信を介して前記撮像情報を前記外部機器により処理することを特徴とする付記１１に記載の電子機器。
【符号の説明】
【０１２３】
１・・・電子機器、１０・・・レンズユニット、１１・・・レンズ、１２・・・雌コネクタ、１３・・・撮像素子、１４・・・ユニット回路、２０・・・制御ユニット、２１・・・雄コネクタ、２２・・・雌コネクタ、２３・・・電源ボタン、２４・・・ＣＰＵ、２５・・・ＲＯＭ、２６・・・ＲＡＭ、２７・・・通信部、２８・・・入力部、３０・・・電源ユニット、３１・・・雄コネクタ、３２・・・雌コネクタ、３３・・・電池、４０・・・延長ユニット、４１・・・延長ケーブル、４２・・・雄アダプタ、４３・・・雌アダプタ、５０・・・放熱ユニット、５１・・・放熱フィン、６０・・・ターンテーブル制御ユニット、６１・・・雄コネクタ、６２・・・雌コネクタ、６３・・・切換回路、６４・・・ユニット回路、７０・・・表示制御ユニット、７１・・・雄コネクタ、７２・・・雌コネクタ、７３・・・切換回路、７４・・・ユニット回路、７５・・・メモリ、７６・・・ドライブ、７７・・・リムーバブルメディア、７８−１・・・ＥＸＯＲ回路、７８−２・・・ＥＸＯＲ回路、７８−３・・・ＥＸＯＲ回路、７８−４・・・ＥＸＯＲ回路、７９・・・ＯＲ回路、８０・・・マイクユニット、９０・・・プロジェクターユニット、１００・・・通信ユニット、１１０・・・表示ユニット、１２０・・・ターンテーブル、１２１・・・ＡＣ電源、１２２・・・モーター回路、１３０・・・キャップユニット、３００・・・スマートフォン、３１０・・・タッチパネル
【図１】
2013117691.tif 000003
【図２】
2013117691.tif 000004
【図３】
2013117691.tif 000005
【図４】
2013117691.tif 000006
【図５】
2013117691.tif 000007
【図６】
2013117691.tif 000008
【図７】
2013117691.tif 000009
【図８】
2013117691.tif 000010
【図９】
2013117691.tif 000011
【図１０】
2013117691.tif 000012
【図１１】
2013117691.tif 000013
【図１２】
2013117691.tif 000014
【図１３】
2013117691.tif 000015
【図１４】
2013117691.tif 000016